(57)【要約】【課題】本発明は、出力画像への広告画像等の付加画像の付加を効果的に行う画像出力装置に関する。【解決手段】複合装置ＭＦａは、出力画像に付加する付加画像と該付加画像を出力画像に付加するための付加条件を関連づけてＮＶＲＡＭ１０４に登録し、出力画像の画像出力に際して、該出力画像に関連する出力画像関連条件が操作パネル制御部３００の入力部３０４等から入力されると、システムコントローラ１００のＣＰＵ１０１が、該出力画像関連条件に対応する付加条件に関連づけられている付加画像をＮＶＲＡＭ１０４から取り出して該出力画像に付加させて画像入出力制御部２００で画像出力させる。したがって、出力画像に関連する付加画像を適宜選択して、該出力画像に付加させて画像出力することができる。【選択図】          図１
2010074449.tif 000002
【特許請求の範囲】
【請求項１】
出力対象の出力画像に対して適宜の付加画像を画像付加手段で付加して画像出力する画像出力装置において、前記付加画像を前記出力画像に付加する付加条件を該付加画像毎に設定する付加条件設定手段と、出力画像に関連する出力画像関連条件を入力する出力画像関連条件入力手段と、付加画像と該付加画像に対する付加条件が関連づけて登録される付加画像登録手段と、該出力画像関連条件入力手段から入力された該出力画像関連条件に対応する付加条件に関連づけられている付加画像を該付加画像登録手段から取り出して前記画像付加手段に該出力画像に付加させて画像出力させる制御手段と、を備えていることを特徴とする画像出力装置。
【請求項２】
前記画像出力装置は、前記出力画像への前記付加画像の付加を許可するか拒否するかを選択する付加可否選択手段を備え、前記制御手段は、該付加可否選択手段で付加画像の付加が許可されたときにのみ該出力画像への付加画像の付加を行うことを特徴とする請求項１記載の画像出力装置。
【請求項３】
前記画像出力装置は、前記付加画像登録手段に登録される前記付加画像の登録管理要件の入力を要求する登録要件要求手段を備え、前記制御手段は、該登録要件要求手段に応じて入力された登録管理要件に基づいて該付加画像登録手段への付加画像の登録及び登録済みの付加画像の管理を行うことを特徴とする請求項１または請求項２記載の画像出力装置。
【請求項４】
前記登録要件要求手段は、前記付加画像の前記付加画像登録手段への前記登録管理要件の１つとして、該付加画像のデータ量、画像の種類等の画像関連情報に応じた付加画像の登録料金を請求することを特徴とする請求項１から請求項３のいずれかに記載の画像出力装置。
【請求項５】
前記画像出力装置は、前記出力画像の画像出力に対して該出力画像のデータ量、画像の種類等の出力画像関連情報に応じた画像出力料金を請求する画像出力料金請求手段を備えていることを特徴とする請求項１から請求項４のいずれかに記載の画像出力装置。
【請求項６】
前記画像出力料金請求手段は、前記付加画像の付加に対する対価として前記画像出力料金から所定料金を割引または該画像出力料金を無料にする画像付加割引処理を行うことを特徴とする請求項５記載の画像出力装置。
【発明の詳細な説明】
【技術分野】
【０００１】
本発明は、画像出力装置に関し、詳細には、出力画像への広告画像等の付加画像の付加を効果的に行う画像出力装置に関する。
【背景技術】
【０００２】
デジタル複写装置や複合装置等の画像出力装置は、一般消費者が個人で購入するには、高価であるため、コンビニエンス・ストア、スーパー、公共施設等のオープン・スペースに、デジタル複写装置や複合装置等の画像出力装置を設置して、有料の複写サービスやファクシミリ送信サービス等を提供することが行われている。
【０００３】
このような画像出力装置においては、サービスの提供に際して、まず、課金装置への料金の投入を依頼して、投入料金に応じた枚数のコピー出力やファクシミリ送信を顧客に提供するようになっており、この場合、課金装置としては、現金が投入される場合に限らず、プリペイド・カードを利用したプリペイド・リーダが利用されている場合もある。
【０００４】
ところが、近年、このような有料のコピーサービス等を提供する画像出力装置の利用を図るとともに、各種広告媒体としての画像出力装置の利用を図るために、顧客の要求する出力対象の画像に対して、広告画像等の付加画像を付加して画像出力することを条件として、課金料金を割り引いたり、無料にする画像出力装置が出現している（特許文献１参照）。また、このような広告画像付加に際して、印刷画像が白黒である場合と広告画像がカラー画像である場合とで、画像付加と料金の設定を考慮した技術が従来提案されている（特許文献２、特許文献３参照）。
【０００５】
【特許文献１】特開２００１−７７９５３号公報
【特許文献２】特開２００６−３１１０２０号広報
【特許文献３】特開２００６−２３１７２５号広報
【発明の開示】
【発明が解決しようとする課題】
【０００６】
しかしながら、上記従来技術は、広告画像の付加を行う代わりに、コピーサービス等の画像出力サービスの課金料金を割り引いたり、無料にするための技術とその料金設定を画像の白黒・カラーの種類によって変えることの技術であり、広告効果については、考慮されていないため、広告効果等の付加画像を出力画像に付加させる画像付加効果をより向上さることが、要望されるようになってきている。すなわち、広告主の立場からすると、不特定多数の人々を対象とした単なる画像の付加のみを行うよりも、より効果的な画像付加効果が要求される。
【０００７】
そこで、本発明は、出力画像に付加する付加画像の画像付加効果を高める画像出力装置を提供することを目的としている。
【課題を解決するための手段】
【０００８】
本発明は、上記目的を達成するために、出力画像に付加する付加画像と該付加画像を出力画像に付加するための付加条件を関連づけて付加画像登録手段に登録し、出力画像の画像出力に際して、該出力画像に関連する出力画像関連条件が出力画像関連条件入力手段から入力されると、該出力画像関連条件に対応する付加条件に関連づけられている付加画像を該付加画像登録手段から取り出して該出力画像に付加させて画像出力することを特徴としている。
【０００９】
また、本発明は、出力画像への付加画像の付加を許可するか拒否するかを選択する付加可否選択手段で付加画像の付加が許可されたときにのみ該出力画像への付加画像の付加を行うことを特徴としてもよい。
【００１０】
さらに、本発明は、付加画像登録手段に登録される付加画像の登録管理要件の入力を要求する登録要件要求手段に応じて入力された登録管理要件に基づいて該付加画像登録手段への付加画像の登録及び登録済みの付加画像の管理を行うことを特徴としてもよい。
【００１１】
また、本発明は、登録要件要求手段が、前記付加画像の前記付加画像登録手段への前記登録管理要件の１つとして、該付加画像のデータ量、画像の種類等の画像関連情報に応じた付加画像の登録料金を請求することを特徴としてもよい。
【００１２】
さらに、本発明は、前記出力画像の画像出力に対して該出力画像のデータ量、画像の種類等の出力画像関連情報に応じた画像出力料金を請求する画像出力料金請求手段を備えていることを特徴としてもよい。
【００１３】
また、本発明は、前記画像出力料金請求手段が、前記付加画像の付加に対する対価として前記画像出力料金から所定料金を割引または該画像出力料金を無料にする画像付加割引処理を行うことを特徴としてもよい。
【発明の効果】
【００１４】
本発明によれば、出力画像に関連する付加画像を出力画像に応じて適宜選択して、該出力画像に付加させて画像出力することができ、広告画像等の付加画像を付加することによる画像付加効果を向上させることができる。
【発明を実施するための最良の形態】
【００１５】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１６】
図１〜図１０は、本発明の画像出力装置の一実施例を示す図であり、図１は、本発明の画像出力装置の一実施例を適用した複合装置ＭＦａのブロック構成図である。
【００１７】
図１において、画像出力装置としての複合装置ＭＦａは、大きく分けてシステムコントローラ１００、画像入出力制御部２００、操作パネル制御部３００及び画像データバス／制御コマンドバス４００を備えており、画像データバス／制御コマンドバス４００は、システムコントローラ１００、画像入出力制御部２００及び操作パネル制御部３００をそれぞれ接続して、画像データ及び制御コマンドの授受を行う。
【００１８】
システムコントローラ１００は、ＣＰＵ（Central Processing Unit ）１０１、ＲＯＭ１０２、ＲＡＭ（Random Access Memory）１０３、ＮＶＲＡＭ（Non-Volatile Random Access Memory）１０４、ＨＤＤＣ（ハードディスクコントローラ）１０５、システムＩ／Ｆ（インターフェイス）１０６、ネットワークＩ／Ｆコントローラ１０７、ワークメモリ１０８、フレームメモリ１０９、メモリコントローラ１１０、ＦＩＦＯ（First-In First-Out）１１１、１１２、バス制御部１１３〜１１５等を備えており、ＨＤＤＣ１０５には、図示しないＨＤＤ（ハードディスク）が接続されている。
【００１９】
複合装置ＭＦａは、そのネットワークＩ／Ｆコントローラ１０７によって、例えば、図２に示すようなネットワークＮＷ（例えば、インターネット等）に接続が可能であり、図２では、図１の複合装置ＭＦａだけでなく、本発明の画像出力装置として機能する装置として、図１の複合装置ＭＦａと同様の複合装置ＭＦｂ、スキャナ装置ＳＣａ、ＳＣｂ、プリンタ装置ＰＲａ、ＰＲｂ等が示されている。なお、以下の説明では、複合装置ＭＦａに適用した場合について説明するが、他の複合装置ＭＦｂ、スキャナ装置ＳＣａ、ＳＣｂ、プリンタ装置ＰＲａ、ＰＲｂ等にも同様に適用することができる。複合装置ＭＦａ等の接続されているネットワークＮＷには、複合装置ＭＦａを利用してコピー、ファクシミリ送信等の画像出力を行う顧客が該複合装置ＭＦａを利用して出力を意図している画像（以下、顧客画像という。）に対して、広告等の付加画像を複合装置ＭＦａに送信して登録させる付加画像付加依頼者（広告者等）のコンピュータＰＣａ、付加画像サーバとしてのコンピュータＰＣｂ、課金装置としてのコンピュータＰＣｃ及び画像出力要求を複合装置ＭＦａに行う顧客のコンピュータＰＣｄ等が接続されている。
【００２０】
複合装置ＭＦａは、そのＲＯＭ１０２に複合装置ＭＦａとしての基本プログラムや本発明の付加画像付加制御処理プログラム及びその他のプログラムやその他の必要なデータを格納しており、ＣＰＵ１０１がＲＯＭ１０２内のプログラムに基づいて複合装置ＭＦａの各部を制御して、複合装置ＭＦａとしての基本処理、付加画像付加制御処理等の各種処理を実行する。ＲＡＭ１０３は、ＣＰＵ１０１の作業用メモリとして利用され、ＮＶＲＡＭ（付加画像登録手段）１０４は、複合装置ＭＦａの電源がオフの場合にも記憶しておくべきデータ、例えば、複合装置ＭＦａの設定データやコンピュータＰＣａから送信されてきた付加画像データ等を登録して記憶する。
【００２１】
具体的には、システムコントローラ１００は、ＲＯＭ１０２に格納されている複合装置ＭＦａとしての基本プログラムであるスキャナプリケーションプログラム、コピーアプリケーションプログラム、ＦＡＸアプリケーションプログラム、プリンタプリケーションプログラム等をＣＰＵ１０１で実行することにより、顧客の要求に応じて、複合装置ＭＦａの各部を制御して、各アプリケーション機能を実行するとともに、後述する付加画像付加制御処理を実行する。
【００２２】
ＨＤＤＣ１０５には、図示しない大容量の記憶装置であるハードディスク（ＨＤＤ）が接続され、ＨＤＤＣ１０５は、ＣＰＵ１０１の制御下で、読み取り画像データやネットワークＮＷ経由で受信した画像データ等の各種データをＨＤＤに保存させ、また、ＨＤＤ内の画像データ等のデータの読み出しを行う。
【００２３】
システムＩ／Ｆ１０６は、ＣＰＵ１０１の命令によりシステムコントローラ１００内で処理されるＦＡＸデータ、プリンタデータ等のデータ転送制御を行い、ワークメモリ１０８は、複合装置ＭＦａで使用する画像展開用の作業用メモリである。フレームメモリ１０９は、読み取り画像や書き込み画像のイメージデータ（描画データ）を蓄える作業用メモリであり、イメージデータは、符号化されたりドットイメージ等である。
【００２４】
ＦＩＦＯ１１１は、入力画像をフレームメモリ１０９へ書き込む際のデータ転送速度変換を行い、ＦＩＦＯ１１２は、フレームメモリ１０９の画像データを出力画像としてデータ転送する際の速度変換を行う。
【００２５】
バス制御部１１５は、システムＩ／Ｆ１０６と画像データバス／制御コマンドバス４００との通信制御を行い、バス制御部１１４は、メモリコントローラ１１０と画像データバス／制御コマンドバス４００との通信制御を行う。また、バス制御部１１３は、各ＦＩＦＯ１１１、１１２と画像データバス／制御コマンドバス４００との通信制御を行う。
【００２６】
メモリコントローラ１１０は、ＣＰＵ１０１の制御を受けることなく、フレームメモリ１０９及びＨＤＤＣ１０５と画像データバス／制御コマンドバス４００との間の画像データの入出力を制御する。
【００２７】
画像入出力制御部２００は、ＣＰＵ２０１、ＲＯＭ２０２、ＲＡＭ２０３、画像書き込みユニット２０４、画像読み取りユニット２０５、地紋認識ユニット２０６、課金装置Ｉ／Ｆユニット２０７、原稿搬送制御ユニット２０８、電子写真プロセスユニット２０９、転写紙搬送制御ユニット２１０及びバス制御部２１１、２１２等を備えており、原稿画像の読み取り及び電子写真方式による転写紙への画像出力を行い、また、図示しないファクシミリ制御部ユニットによってファクシミリ通信（画像出力）を行う。
【００２８】
ＲＯＭ２０２内には、画像入力制御部２００として必要なプログラム及び必要なデータが格納されており、ＣＰＵ２０１は、ＲＯＭ２０２内のプログラムに基づいて各ユニットを制御して、画像形成処理、画像読み取り処理、ファクシミリ通信処理の各アプリケーション処理等を実行する。
【００２９】
画像書き込みユニット２０４、電子写真プロセスユニット２０９及び転写紙搬送制御ユニット２１０は、全体として、例えば、電子写真方式で印刷データに基づいて画像を転写紙に記録出力する画像形成手段として機能する。電子写真プロセスユニット２０９は、例えば、感光体、光書き込み部、現像部、帯電部及びクリーニング部等の電子写真プロセスで画像形成するのに必要な各部品を備えており、転写紙搬送制御ユニット２１０は、複数枚の転写紙を収納する給紙トレイ等を備えた給紙部から１枚ずつ転写紙を電子写真プロセスユニット２０９に搬送する転写紙搬送を制御する。画像書き込みユニット２０４は、バス制御部２１１を介してシステムコントローラ１００から画像データ（描画データ）を受け取って、該画像データに基づいて変調したレーザ光を電子写真プロセスユニット２０９の感光体上に照射して、感光体に静電潜像を形成する。電子写真プロセスユニット２０９は、ＣＰＵ２０１の制御下で、画像書き込みユニット２０４によって静電潜像の形成された感光体上に、現像部によりトナーを供給して現像してトナー画像を形成し、給紙部から転写紙を感光体と転写部との間に給紙して、感光体上のトナー画像を転写紙に転写させ、トナー画像の転写された転写紙を定着部に搬送して、定着部で加熱・加圧して転写紙上のトナー画像を定着させることで、画像を形成する。
【００３０】
画像読み取りユニット２０５は、例えば、ＣＣＤ（Charge Coupled Device ）を利用したイメージスキャナ等が利用されており、一般に、ＡＤＦ（自動原稿送り装置）を備えている。ＡＤＦには、複数枚の原稿がセットされ、ＡＤＦは、セットされた原稿を１枚ずつ画像読み取りユニット２０５の原稿読取位置に送給する。画像読み取りユニット２０５は、ＡＤＦから搬送されてきた原稿を走査し、原稿の画像を所定の解像度で読み取って、２値化して出力する。原稿搬送制御ユニット２０８は、ＡＤＦによる原稿搬送やＡＤＦを用いない場合の原稿の搬送を制御する。
【００３１】
地紋認識ユニット２０６は、画像読み取りユニット２０５によって読み取った原稿画像に地紋データが含まれているか否かの認識処理を行い、ＣＰＵ２０１が、該地紋認識ユニット２０６の認識結果に基づいて、読み取った原稿の画像のコピー（画像形成出力）の許可／禁止の制御を行う。
【００３２】
課金装置Ｉ／Ｆユニット２０７には、図示しない課金装置（画像出力料金請求手段）が接続されており、課金装置は、画像出力にかかる料金の提示を行う料金提示部、提示した料金に対して支払の行われたか金額のカウント（現金、プリペイド・カード等による支払金額のカウント）を行う支払金額カウント部等を備えているとともに、付加画像の複合装置ＭＦａへの登録に際して、付加画像登録料金の請求を行う。課金装置Ｉ／Ｆユニット２０７は、ＣＰＵ２０１の制御下で、課金装置に対する出力情報の制御、課金装置からの情報（支払金額カウント部の処理情報）の取得と該取得した情報のＣＰＵ２０１への通知等を行う。ＣＰＵ２０１は、画像出力条件（白黒画像、カラー画像等の画像種別、出力画像の大きさ、例えば、転写紙サイズ等）、付加画像の付加の有無と付加画像の付加／非付加に応じた画像出力料金の算出等の課金額情報を課金装置Ｉ／Ｆユニット２０７に渡して課金装置に通知させ、課金装置Ｉ／Ｆユニット２０７から課金装置の取得した支払金額カウント情報を取得して、画像書き込みユニット２０４、電子写真プロセスユニット２０９及び転写紙搬送制御ユニット２１０を使用した画像出力枚数、出力画像種別、画像出力の許可／不許可の制御等を行う。
【００３３】
また、課金Ｉ／Ｆユニット２０７及び課金装置は、複合装置ＭＦａを利用してコピー等によって画像出力を行う顧客が該画像出力サービスに対して支払う料金の課金処理を行うのに使用されるだけでなく、該出力画像に広告画像等の付加画像の付加依頼を行う付加画像付加依頼者に対して該付加画像を複合装置ＭＦａに登録する際に、該付加画像の登録に対する付加画像登録料金を徴収する際にも使用される。そして、課金装置は、上述のように、複合装置ＭＦａの近くに設置されて現金やプリペイド・カード等による支払いを受け付ける課金装置に限るものではなく、例えば、ネットワークＮＷに接続されたコンピュータ、例えば、図２のコンピュータＰＣａ〜ＰＣｄの１つ（上記例では、コンピュータＰＣｃ）が課金装置として機能するものであってもよい。この場合、課金装置として、例えば、コンピュータＰＣｃを用いる場合、コンピュータＰＣｃは、該課金決済に利用している銀行等の金融機関との間で支払いが行われたかの情報の交換を行って、その決済結果を課金情報として、課金装置Ｉ／Ｆユニット２０７に送信し、課金装置Ｉ／Ｆユニット２０７が該課金情報をシステムコントローラ１００のＣＰＵ１０１に渡す。
【００３４】
バス制御部２１１は、画像書き込みユニット２０４及び画像読み取りユニット２０５と画像データバス／制御コマンドバス４００との通信制御を行い、バス制御部２１２は、ＣＰＵ２０１と画像データバス／制御コマンドバス４００との通信制御を行う。
【００３５】
画像データバス／制御コマンドバス４００は、画像データと制御コマンドが時分割で転送されるバスである。
【００３６】
操作パネル制御部３００は、ＣＰＵ３０１、ＲＯＭ３０２、ＲＡＭ３０３、入力部３０４、表示部３０５及びバス制御部３０６等を備えており、複合装置ＭＦａの設定の入力が入力部３０４で行われ、その状態内容の表示を表示部３０５に行う。
【００３７】
ＲＯＭ３０２は、操作パネル制御部３００の制御に必要な操作パネル制御プログラム及びその他のシステムデータを記憶しており、ＣＰＵ３０１は、ＲＯＭ３０２内のプログラムに基づいてＲＡＭ３０３を作業用メモリとして利用しつつ、入力部３０４の操作の監視を行って入力部３０４の操作結果をバス制御部３０６を介してシステムコントローラ１００のＣＰＵ１０１等に通知するとともに、システムコントローラ１０１のＣＰＵ１０１からの表示情報、ランプ等の点灯制御等の駆動信号等に基づいて表示部３０５への複合装置ＭＦａの動作状態や操作ガイド等を表示するとともに、後述する付加画像付加制御処理に必要な各種情報を表示する。
【００３８】
そして、複合装置ＭＦａは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明の付加画像付加制御方法を実行する付加情報付加制御プログラムを読み込んで、コントローラ１００のＲＯＭ１０２やＨＤＤ等に導入して実行することで、後述する顧客が出力したい画像に対して付加画像付加依頼者が提供した付加画像を効果的に付加して効率的にかつ効果的な付加画像付加制御処理を実行する複合装置ＭＦａとして構築されている。この付加画像付加制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３９】
次に、本実施例の作用を説明する。本実施例の複合装置ＭＦａは、コンビニエンス・ストアや公共の場所等に設置されて多数の顧客が画像出力に対する料金を課金装置で支払うことを条件として、コピー処理、ファクシミリ通信処理、スキャナ処理等の画像処理機能を提供するが、この画像処理機能の提供、特に、画像出力機能の提供に際して、広告画像等の付加画像を該出力画像に関連する情報（出力画像関連条件）、例えば、該出力画像を出力させる顧客に関する情報等に応じた付加画像を選択して効果的に付加する画像形成制御処理を行う。
＜付加画像データの複合装置ＭＦａへの登録処理＞
まず、付加画像の複合装置ＭＦａへの登録処理について説明する。複合装置ＭＦａへの付加画像の登録は、複合装置ＭＦａの設置場所に赴いて複合装置ＭＦａに、直接、付加画像の登録を行う場合とネットワークＮＷを介して付加画像付加依頼者のコンピュータＰＣａから複合装置ＭＦａに送信して登録する方法とがあり、通常、複合装置ＭＦａの管理者やそのカスタマーエンジニアが行う。複合装置ＭＦａの設置場所に赴いて付加画像の登録を行う場合には、図２に示すように、登録対象の画像出力装置（なお、以下の説明では、複合装置ＭＦａに対して登録を行う場合についてのみ説明するが、他の画像出力装置である複合装置ＭＦｂ、スキャナ装置ＳＣａ、ＳＣｂ、プリンタ装置ＰＲａ、ＰＲｂ等についても同様に適用することができる。）の備えている外部装置接続部ＧＴに、登録対象の付加画像の記録されている外部記憶装置、例えば、ＵＳＢ（Universal Serial Bus）メモリ、ＳＤカード（Secure Digital：ＳＤ）等の可搬性メモリを接続して、操作パネル制御部３００の操作等によって、ＣＰＵ１０１に、該外部記憶装置の付加画像をＲＡＭ１０３へダウンロードさせる。
【００４０】
ＣＰＵ１０１は、外部記憶装置からＲＡＭ１０３への付加画像のダウンロードが完了すると、該付加画像をＮＶＲＡＭ１０４等の不揮発性メモリ（以下の説明では、付加画像をＮＶＲＡＭ１０４に格納するものとする。）に格納する。
【００４１】
また、付加画像の複合装置ＭＦａへの登録は、付加画像付加依頼者のコンピュータＰＣａからネットワークＮＷを介して行ってもよく、この場合、ＣＰＵ１０１が、ネットワークＮＷＩ／Ｆコントローラ１０７を介して該コンピュータＰＣａから付加画像を受信して、ＲＡＭ１０３に一旦保存した後、ＮＶＲＡＭ１０４に格納する。
【００４２】
なお、付加画像は、複合装置ＭＦａに格納するだけでなく、外部装置、例えば、付加画像サーバとしてのコンピュータＰＣｂに格納されていてもよく、この場合、付加する画像を付加のタイミングに合わせて、ネットワークＮＷを介してコンピュータＰＣｂから複合装置ＭＦａに送信する。すなわち、コンピュータＰＣｂが付加画像のサーバとして機能する。
【００４３】
そして、複合装置ＭＦａは、この付加画像の複合装置ＭＦａへの登録時に、該付加画像付加依頼者に対して、付加画像登録課金を行う。すなわち、ＣＰＵ１０１は、外部記憶装置またはネットワークＮＷに接続されたコンピュータＰＣａ等から付加画像を複合装置ＭＦａにダウンロードする際に、該付加画像が白黒画像であるか、カラー画像であるか、また、画像サイズ及び画像データ量等によって付加画像登録料金を予め設定されている画像登録料金体系に基づいて決定して、該決定した付加画像登録課金の要求を、画像データバス／制御コマンドバス４００を介して、画像入出力制御部２００に発行する。なお、付加画像がカラーであるか白黒であるかの判別は、公知のアルゴリズムによって行うことができる。
【００４４】
すなわち、付加画像データの複合装置ＭＦａへの登録は、登録する付加画像によって予め料金体系が設定されＮＶＲＡＭ１０４等に登録されており、ＣＰＵ１０１は、登録される付加画像データの上記種別やデータ量等に基づいて付加画像登録料金を決定する。
【００４５】
画像入出力制御部２００は、そのＣＰＵ２０１が、該付加画像登録課金要求を受信すると、課金装置Ｉ／Ｆユニット２０７を経由して、図示しない課金装置に送り、該課金装置のディスプレイに、例えば、図３に示すような付加画像登録課金画面Ｇ１を表示する。この付加画像登録課金画面Ｇ１は、図３に示すように、付加画像を複合装置ＭＦａに登録するのにかかる料金金額と、登録を実行するか否かのＹＥＳボタンＢ１とＮＯボタンＢ２を表示する。なお、付加画像登録課金画面Ｇ１は、課金装置が表示部を備えていないか備えていても適切な付加画像登録課金画面Ｇ１を表示するのには、小さい等で適していないときには、操作パネル３００に付加画像登録課金要求を送って、操作パネル制御部３００の表示ｂ３０５に付加画像登録課金画面Ｇ１を表示させてもよい。
【００４６】
課金装置は、付加画像登録課金料金に相当する金額が投入されたことを確認すると、課金装置Ｉ／Ｆユニット２０７を経由して、ＣＰＵ２０１に課金の精算が完了したことを通知して、ＣＰＵ２０１が、バス制御部２１２及び画像データバス／制御コマンドバス４００を経由して、ＣＰＵ１０１に課金の精算が終了したことを通知する。この場合、課金装置は、上述のように、ネットワークＮＷによって接続されたコンピュータ、例えば、上述のように、コンピュータＰＣｃ等がその搭載する課金アプリケーションで実現するようにしてもよい。この場合の課金決済方法としては、上述のように、現金のほか、プリペイド・カードや銀行等の金融機関を通じてのクレジットカードによる決済によっても行うことができる。
【００４７】
システムコントローラ１００のＣＰＵ１０１は、付加画像登録課金の請求を行う場合に、登録する付加画像の有効期間の設定を行うようにして、該有効期間に基づいて付加画像登録料金を設定するようにしてもよい。
【００４８】
この場合、ＣＰＵ１０１は、付加画像データの有効期間、すなわち、顧客が出力する画像に付加画像として登録行っておく期間を設定するために、有効期間入力要求を課金装置または操作パネル制御部３００に行って、課金装置のディスプレイまたは操作パネル制御部３００の表示部３０５に、例えば、図４に示すような有効期間入力画面Ｇ２を表示させる。図４の有効期間入力画面Ｇ２では、有効期間の入力を依頼するメッセージ表示と、有効期間入力欄及び確定ボタンＢ３を表示している。
【００４９】
この有効期間入力画面Ｇ２で有効期間が入力されて、確定ボタンＢ３が押下されると、課金装置または操作パネル制御部３００は、該入力された有効期間情報をシステムコントローラ１００に送信し、システムコントローラ１００のＣＰＵ１０１は、有効期間情報が送られてくると、該登録対象の付加画像データと関連づけてＲＡＭ１０３に記憶する。
【００５０】
このようにして、有効期間が設定されると、ＣＰＵ１０１は、有効期間の長さに応じて、上記付加画像登録料金を算出して決定し、該決定した付加画像登録料金の課金画面を上記付加画像登録課金画面Ｇ１として表示させる。
【００５１】
さらに、システムコントローラ１００のＣＰＵ１０１は、付加画像登録課金の請求を行う場合、登録する付加画像の付加可能回数の設定を行うようにして、該付加可能回数に基づいて付加画像登録料金を設定するようにしてもよい。
【００５２】
この場合、ＣＰＵ１０１は、付加画像データの付加可能回数、すなわち、顧客が出力する画像に付加画像として付加を許可する回数を設定するために、付加可能回数登録要求を課金装置または操作パネル制御部３００に行って、課金装置のディスプレイまたは操作パネル制御部３００の表示部３０５に、例えば、図５に示すような付加可能回数入力画面Ｇ３を表示させる。図５の付加可能回数入力画面Ｇ３では、付加可能回数の入力を依頼するメッセージ表示と、付加可能回数入力欄及び確定ボタンＢ４を表示している。
【００５３】
この付加可能回数入力画面Ｇ３で付加可能回数が入力されて、確定ボタンＢ４が押下されると、課金装置または操作パネル制御部３００は、該入力された付加可能回数情報をシステムコントローラ１００に送信し、システムコントローラ１００のＣＰＵ１０１は、付加可能回数情報が送られてくると、該登録対象の付加画像データと関連づけてＲＡＭ１０３に記憶する。
【００５４】
そして、付加画像を複合装置ＭＦａに登録する際に、該登録対象の付加画像を、付加画像として付加する際の付加条件を、該付加画像に対応付けて登録する。すなわち、ＣＰＵ１０１は、付加画像の登録時に、画像データバス／制御コマンドバス４００を経由して、操作パネル制御部３００に対して、例えば、図６に示すような付加条件設定入力画面Ｇ４の表示を要求する。操作パネル制御部３００のＣＰＵ３０１、例えば、操作パネル制御部３００では、予めＲＯＭ３０２に格納されている付加条件設定入力画面Ｇ４のデータを参照して、表示部３０５に表示する。この付加条件としては、種々の条件設定を行うことができるが、図６の付加条件設定入力画面Ｇ４では、画像出力を行う顧客の性別、職業、複合装置ＭＦａの設置場所及び文字列（キーワード）が付加画像の付加条件として入力される場合を示しており、さらに、確定ボタンＢ５が表示されている。
【００５５】
操作パネル制御部３００のＣＰＵ３０１は、入力部３０４で入力された付加条件情報をＲＡＭ３０３に保存し、付加条件設定入力画面Ｇ４の確定ボタンＢ５が押下されると、バス制御部３０６及び画像データバス／制御コマンドバス４００を経由させて、ＲＡＭ３０３に保存した内容をシステムコントローラ１００へ通知する。
【００５６】
ＣＰＵ１０１は、ＲＡＭ１０３にダウンロードした付加画像と操作パネル３００から通知された付加条件情報を、１つの条件情報付き付加画像データとして、例えば、図７に示すようなデータ構造にまとめて、ＮＶＲＡＭ（付加画像登録手段）１０４に保存する。図７では、条件情報付き付加画像データとして、該データを特定するＩＤ(Identification ）、付加画像の画像データ、上記付加条件、有効期間、付加可能回数及び現在の付加回数からなり、付加画像データを出力画像に対して効果的に付加するための付加条件だけでなく、該付加画像データの登録に対して支払われた課金によって許可する有効期間や付加可能回数の付加データの管理情報（登録管理要件）も１つのデータにまとめてＮＶＲＡＭ１０４に格納する。
【００５７】
また、付加画像をコンピュータＰＣａから付加画像データを送信して複合装置ＭＦａに登録する場合には、コントローラ１００のＣＰＵ１０１からネットワークＮＷＩ／Ｆコントローラ１０７を介して、付加画像をネットワークＮＷ経由で登録するコンピュータＰＣａに対して、上記有効期間入力要求を行って有効期間入力画面Ｇ２を表示させ、付加可能回数入力要求を行って、付加可能回数入力画面Ｇ３を表示させ、これらの有効期間や付加可能回数及び付加画像データのカラー・白黒の種別、データ量等に基づいて付加画像登録料金を算出して、該算出した付加画像登録料金の課金要求を該コンピュータＰＣａに送信して、付加画像登録課金画面Ｇ１を表示させ、ＹＥＳボタンＢ１が操作されて登録を行う場合には、コンピュータＰＣａは、ネットワークＮＷを介して複合装置ＭＦａに課金承諾を示す情報を送信する。
【００５８】
複合装置ＭＦａは、課金装置から課金の確認の通知が送られてくると、付加条件要求をコンピュータＰＣａに送信し、コンピュータＰＣａが、該付加条件要求に応じてず、図６に示したような付加条件設定入力画面Ｇ４をディスプレイに表示して、該付加条件設定入力画面Ｇ４で必要な付加条件の入力操作が行われて、確定ボタンＢ５が操作されると、該入力された付加条件情報を複合装置ＭＦａに送信する。
【００５９】
複合装置ＭＦａは、送信されてきた付加条件情報をネットワークＮＷＩ／Ｆコントローラ１０７を介してＣＰＵ１０１が受け取り、ＣＰＵ１０１が、ＲＡＭ１０３に先にダウンロードした付加画像と該付加条件情報を、１つの条件情報付き付加画像データとしてまとめて、例えば、図７に示したようなデータ構造で、ＮＶＲＡＭ１０４に保存する。
【００６０】
なお、上述のように、付加画像データは、ＮＶＲＡＭ１０４に保管する場合に限るものではなく、上述したように、付加画像サーバとしてのコンピュータＰＣｂ等に登録してもよい。この場合の登録するデータ内容としても、図７と同様なデータ構造の付加条件情報付き付加画像データを登録する。
＜付加画像付加制御処理＞
次に、付加画像を出力画像に付加する際に付加条件に基づいて付加画像の付加の可否及び付加画像の選択を制御する付加画像付加制御処理について説明する。
【００６１】
顧客は、複合装置ＭＦａを使用してコピー、ファクシミリ通信等の画像出力を行う場合、まず、操作パネル制御部３００の入力部３０４で画像出力のモードを選択して画像出力要求を行う。例えば、顧客は、コピーを行う場合には、入力部３０４で、コピーモードを選択する。ＣＰＵ３０１は、入力部３０４から顧客による画像出力要求を受け取ると、バス制御部３０６及び画像データバス／制御コマンドバス４００を経由して、システムコントローラ１００にその旨を通知する。ＣＰＵ１０１は、画像出力要求を受け取ると、顧客の出力対象としている画像に付加画像の付加を行うか否かの選択を求める付加画像付加可否選択要求を送り、操作パネル制御部３００のＣＰＵ３０１は、付加画像付加可否選択要求を受け取ると、例えば、図８に示すような付加画像付加可否選択画面Ｇ５の表示データをＲＯＭ３０２から読み出して表示部３０５に表示する。図８の付加画像付加可否選択画面Ｇ５では、付加画像の付加の可否に対する選択を促す旨のメッセージと、付加画像の付加を選択するＹＥＳボタンＢ６と付加を拒否するＮＯボタンＢ７が表示されている。なお、図８では、示されていないが、付加画像付加可否選択画面Ｇ５には、付加画像を付加することによるメリットとデメリットが表示されるようにしてもよい。例えば、付加画像を付加するメリットとしては、画像出力に必要な画像出力料金の割引、無料化等があり、デメリットとしては、自己の意図する出力画像に付加画像が付加された状態で出力されることである。ＣＰＵ１０１が、このデメリットの程度を分かりやすくするために、ワークメモリ１０８及びフレームメモリ１０９等を使用して、出力画像に付加画像を付加した状態の表示画像を生成して、操作パネル制御部３００に送って、操作パネル制御部３００のＣＰＵ３０１が表示部３０５に該出力画像に付加画像を付加した状態の表示画像を表示するようにしてもよい。したがって、操作パネル制御部３００は、付加可否選択手段として機能している。
【００６２】
そして、操作パネル制御部３００のＣＰＵ３０１は、顧客によって付加画像付加可否選択画面Ｇ５でＹＥＳボタンＢ６が押下されると、付加画像付加の許可が選択された旨をシステムコントローラ１００に出力し、ＮＯボタンＢ７が押下されると、付加画像付加の拒否が選択された旨をシステムコントローラ１００に出力する。
【００６３】
システムコントローラ１００のＣＰＵ１０１は、ＹＥＳボタンＢ６が押下されて付加画像付加許可の通知を受け取ると、付加条件入力要求を操作パネル制御部３００に送る。
【００６４】
操作パネル制御部３００のＣＰＵ３０１は、付加条件入力要求を受け取ると、図９に示すような付加条件入力画面Ｇ６をＲＯＭ３０２から読み出して表示部３０５に表示する。図９の付加条件入力画面Ｇ６では、付加条件として、性別、職業（学生、会社員等）の選択項目と選択ボタンを表示するとともに、入力の確定を操作する確定ボタンＢ８が表示されている。
【００６５】
ＣＰＵ１０１は、付加条件入力画面Ｇ６で選択入力されて確定ボタンＢ８が押下されると、該入力内容を付加条件情報としてシステムコントローラ１００に送信する。システムコントローラ１００のＣＰＵ１０１は、ＮＶＲＡＭ１０４または付加画像サーバであるコンピュータＰＣｂに保存されている付加条件を参照し、入力付加条件と一致する付加画像付加条件の一致する付加画像があるか判断する。したがって、操作パネル制御部３００は、出力画像関連条件入力手段として機能している。
【００６６】
なお、付加条件入力画面Ｇ６では、上述のように、常に、付加条件を入力する画面に限るものではなく、頻繁に利用する顧客の利用性を考慮して、顧客番号等の顧客を特定する顧客ＩＤ等を顧客に付与し、該顧客ＩＤ等の入力項目を付加条件入力画面Ｇ６に表示して、顧客が該顧客ＩＤを入力して、確定ボタンＢ８を操作すると、操作パネル制御部３００のＣＰＵ３０１が該顧客ＩＤをシステムコントローラ１００に送信する。システムコントローラ１００のＣＰＵ１０１は、予めＮＶＲＡＭ１０４に付加条件と顧客ＩＤを対応させたテーブルを用意して、顧客ＩＤを付与した顧客に対しては、付加条件を該顧客ＩＤに対応させて該テーブルに登録し、上記操作パネル制御部３００から送られてきた顧客ＩＤに基づいて付加条件を特定するようにしてもよい。
【００６７】
また、図９の付加条件入力画面（出力画像関連条件入力手段）Ｇ６では、付加条件（出力画像関連条件）として、性別と職業を入力するようになっているが、図６の付加条件設定入力画面Ｇ４のキーワード項目で入力した文字列をも、付加条件として、入力可能な付加条件入力画面としてもよく、この付加条件として文字列が入力されると、操作パネル制御部３００のＣＰＵ３０１は、該入力された文字列をも付加条件として、システムコントローラ１００に送信する。
【００６８】
なお、この文字列を付加条件とする方法としては、付加条件入力画面Ｇ６から顧客が入力する場合に限るものではなく、例えば、システムコントローラ１００のＣＰＵ１０１が出力画像をＯＣＲ（Optical Character Reader：光学式文字読取装置）技術等によって解析して、付加条件設定入力画面Ｇ４で入力されて設定されている付加条件としての文字列が含まれるか判別し、付加条件の一致を判断するようにしてもよい。
【００６９】
ＣＰＵ１０１は、ＮＶＲＡＭ１０４またはコンピュータＰＣｂに付加条件の一致する付加画像が存在すると、該付加条件の一致する付加画像データをＮＶＲＡＭ１０４またはコンピュータＰＣｂから取り出し、ワークメモリ１０８に転送する。一方、顧客が出力要求する画像データ（以下、必要に応じて、出力画像データという。）は、ネットワークＮＷを経由して、顧客のコンピュータＰＣｄやスキャナ装置ＳＣａ、ＳＣｂで読み取られて送信されてくるのを、システムコントローラ１００のＣＰＵ１０１が、ネットワークＩ／Ｆコントローラ１０７及びシステムＩ／Ｆ１６を経由して、ワークメモリ１０８に取り込む。また、出力画像データは、画像読み取りユニット２０５からバス制御部２１１及び画像データバス／制御コマンドバス４００を経由して、システムコントローラ１００に転送されてくるのを、ＣＰＵ１０１が、ワークメモリ１０８に取り込んでもよい。
【００７０】
また、この付加条件に一致する付加画像の選択においては、特に、付加画像をコンピュータＰＣｂから取得する場合には、付加条件設定処理で設定された複合装置ＭＦａの設置場所を付加条件に加えて複合装置ＭＦａの設定場所を含む付加条件に一致する付加画像を選択するようにしてもよい。
【００７１】
ＣＰＵ１０１は、ワークメモリ１０８に取り込んだ出力画像データと付加画像データを合成し、フレームメモリ１０９にページ毎に付加画像データの添付された（合成された）出力画像データを画像入出力制御部２００で取り扱い可能な描画データに展開して、該展開の完了した描画データを、メモリコントローラ１１０が、バス制御部１１４及び画像データバス／制御コマンドバス４００を経由させて、画像入出力制御部２００に転送する。なお、付加画像の出力画像への付加は、出力画像の全ページに対して行う場合に限るものではなく、所定の１ページ（例えば、先頭ページ）、所定ページ数への付加等を行うようにしてもよい。
【００７２】
画像入出力制御部２００は、描画データが送られてくると、ＣＰＵ２０１の制御下で、該描画データの印刷制御コマンドに基づいて画像書き込みユニット２０４、電子プロセスユニット２０９及び転写紙搬送制御ユニット２１０を動作させて該付加画像の添付された出力画像を転写紙に画像形成して、図示しない排紙トレイ上に排出する。
【００７３】
なお、上記図８の付加画像付加可否選択画面Ｇ５で付加画像の付加の否（ＮＯ）が選択された場合には、操作パネル制御部３００のＣＰＵ３０１が付加画像付加の拒否が選択された旨をシステムコントローラ１００に出力し、システムコントローラ１００のＣＰＵ１０１は、該通知を受け取ると付加条件入力要求を行うことなく、顧客の出力要求する画像データ（出力画像データ）をワークメモリ１０８に取り込んで、描画データとしてフレームメモリ１０９に展開する。このフレームメモリ１０９の描画データをメモリコントローラ１１０が、画像入出力制御部２００に転送し、画像入出力制御部２００が、ＣＰＵ２０１の制御下で、該出力画像のみの描画データの画像を転写紙に画像形成して、図示しない排紙トレイ上に排出する。
【００７４】
そして、システムコントローラ１００のＣＰＵ１０１は、上記付加画像を出力画像に付加する場合、付加条件に合致する付加画像が複数あった場合には、顧客に付加する画像を選択させる付加画像選択要求を操作パネル制御部３００に出力する。
【００７５】
すなわち、システムコントローラ１００のＣＰＵ１０１は、ＮＶＲＡＭ１０４またはコンピュータＰＣｂに保存された付加条件を順次参照して、図９の付加条件入力画面Ｇ６で入力されて、操作パネル制御部３００から通知された顧客の付加条件と一致する付加条件の付加画像がＮＶＲＡＭ１０４またはコンピュータＰＣｂに登録されているかチェックする。ＣＰＵ１０１は、付加条件の一致している付加画像データが複数登録されているときには、全ての付加画像データをＮＶＲＡＭ１０４またはコンピュータＰＣｂから取り出して、ワークメモリ１０８に転送し、ワークメモリ１０８の全ての付加画像に対して、主走査及び副走査の画素の間引きを行って、ワークメモリ１０８にコピーすることで、該全ての付加画像のサムネイル画像を生成する。ＣＰＵ１０１は、生成したサムネイル画像を画像データバス／制御コマンドバス４００経由で、操作パネル制御部３００に転送し、操作パネル制御部３００のＣＰＵ３０１は、該送られてきた画像データを用いて、例えば、図１０に示すような付加画像選択画面Ｇ７を表示部３０５に表示する。図１０の付加画像選択画面Ｇ７では、付加条件の一致する複数（図１０では、３つ）のサムネイル画像と確定ボタンＢ９が表示されている例を示している。
【００７６】
操作パネル制御部３００のＣＰＵ３０１は、顧客が、該表示部３０５に表示される複数のサムネイル画面から付加を許可する付加画像の選択を行って、確定ボタンＢ９を押下すると、該選択された付加画像のＩＤ（図７参照）をシステムコントローラ１００に通知する。
【００７７】
システムコントローラ１００のＣＰＵ１０１は、付加画像のＩＤを受信すると、該当するＩＤの付加画像をＮＶＲＡＭ１０４またはコンピュータＰＣｂから取り出し、上記同様に、ワークメモリ１０８で、該付加画像を出力画像に合成して、該付加画像を合成した出力画像データを、メモリコントローラ１１０が画像入出力制御部２００に送って、画像入出力制御部２００で、該付加画像を合成した出力画像を転写紙に画像形成して、図示しない排紙トレイ上に排出する。
【００７８】
このように、本実施例の複合装置ＭＦａは、出力画像に付加する付加画像と該付加画像を出力画像に付加するための付加条件を関連づけてＮＶＲＡＭ１０４に登録し、出力画像の画像出力に際して、該出力画像に関連する出力画像関連条件が操作パネル制御部３００の入力部３０４（付加条件有力画面Ｇ６）から入力されると、該出力画像関連条件に対応する付加条件に関連づけられている付加画像をＮＶＲＡＭ１０４から取り出して該出力画像に付加させて画像出力している。
【００７９】
したがって、出力画像に関連する付加画像を適宜選択して、該出力画像に付加させて画像出力することができ、広告画像等の出力画像への付加画像の画像付加効果を向上させることができる。
【００８０】
また、複合装置ＭＦａは、操作パネル制御部３００の入力部３０４等で出力画像への付加画像の付加が許可されたときにのみ該出力画像への付加画像の付加を行っている。
【００８１】
したがって、付加画像の付加されることに適しない出力画像への付加画像の付加を取りやめる等を行って、顧客の要望や利用性に応じた適切な付加画像の付加を行うことができ、利用性を向上させることができる。
【００８２】
さらに、複合装置ＭＦａは、ＮＶＲＡＭ１０４に登録される付加画像の登録管理要件の入力を操作パネル制御部３００の表示部３０５に要求して、入力部３０４から入力された登録管理要件に基づいてＮＶＲＡＭ１０４への付加画像の登録及び登録済みの付加画像の管理を行っている。
【００８３】
すなわち、複合装置ＭＦａは、登録対象の付加画像の有効期間や付加可能回数等の登録管理要件の入力を有効期間入力画面Ｇ２や付加可能回数入力画面Ｇ３等で入力要求を行い、該画面Ｇ２、Ｇ３で入力された有効期間や付加可能回数を付加画像と関連づけて１つのデータとしてＮＶＲＡＭ１０４に登録してＣＰＵ１０１が管理している。
【００８４】
したがって、付加画像がいつまでもＮＶＲＡＭ１０４に登録され続けて、ＮＶＲＡＭ１０４の要領を圧迫することを防止して、付加画像の適切な利用と適切な課金を行うことができ、複合装置ＭＦａの有効利用を図ることができる。
【００８５】
また、複合装置ＭＦａは、付加画像のＮＶＲＡＭ１０４への登録管理要件の１つとして、該付加画像のデータ量、画像の種類（白黒画像、カラー画像）等の画像関連情報に応じた付加画像の登録料金を請求している。
【００８６】
したがって、付加画像のデータ量等の画像関連情報に適切な登録料金を請求して、複合装置ＭＦａの運用を行うことができ、顧客の利用性を向上させつつ、付加画像付加依頼者（広告主等）の要求を適切に満足させることができる。その結果、利用性をより一層向上させることができる。
【００８７】
さらに、複合装置ＭＦａは、出力画像の画像出力に対して該出力画像のデータ量、画像の種類等の出力画像関連情報に応じた画像出力料金を請求している。したがって、複合装置ＭＦａの適切な運用を行うことができる。
【００８８】
また、付加画像の付加に対する対価として画像出力料金から所定料金を割り引いたり、該画像出力料金を無料にしている。
【００８９】
したがって、複合装置ＭＦａの利用性を向上させることができるとともに、付加画像付加依頼者（広告主等）の要求を適切に満足させることができ、利用性をより一層向上させることができる。
【００９０】
そして、複合装置ＭＦａは、上記付加画像データの登録において、有効期間や出力可能回数が設定されており、有効期間や出力可能回数に応じた付加画像登録料金の課金を徴収しているときには、該付加画像データの有効期間や出力可能回数の管理を行い、有効期間や出力可能回数の経過した付加画像データについては、ＮＶＲＡＭ１０４や付加画像サーバであるコンピュータＰＣｂから削除する。この場合、ＣＰＵ１０１は、該付加画像データの削除を行う前に、有効期間管理や出力可能回数管理を行って、事前に有効期間の通知や出力可能回数の通知、追加有効期間や追加出力可能回数を設定する場合には、追加の有効期間や追加出力可能回数に応じた付加画像登録料金の課金処理及び追加有効期間や追加出力可能回数を設定しない場合の付加画像データの削除許可を付加画像付加依頼者に対して行うようにしてもよい。
【００９１】
このようにすると、付加画像の管理を適切に行って、付加画像がいつまでもＮＶＲＡＭ１０４に登録され続けて、ＮＶＲＡＭ１０４の要領を圧迫することを防止して、付加画像の適切な利用と適切な課金を行うことができ、複合装置ＭＦａの有効利用を図ることができる。
【００９２】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００９３】
本発明は、顧客の出力要求する画像に効果的な付加画像を付加する複合装置、複写装置、プリンタ装置、スキャナ装置等の画像出力装置に利用することができる。
【図面の簡単な説明】
【００９４】
【図１】本発明の一実施例を適用した複合装置のブロック構成図。
【図２】図１の複合装置の適用されるネットワークシステムの一例のシステム構成図。
【図３】付加画像登録課金画面の一例を示す図。
【図４】有効期間入力画面の一例を示す図。
【図５】付加可能回数入力画面の一例を示す図。
【図６】付加条件設定入力画面の一例を示す図。
【図７】付加条件情報付き付加画像データのデータ構造の一例を示す図。
【図８】付加画像付加可否選択画面の一例を示す図。
【図９】付加条件入力画面の一例を示す図。
【図１０】付加画像選択画面の一例を示す図。
【符号の説明】
【００９５】
ＭＦａ、ＭＦｂ  複合装置
ＳＣａ、ＳＣｂ  スキャナ装置
ＰＲａ、ＰＲｂ  プリンタ装置
ＰＣａ  コンピュータ（付加画像付加依頼者のコンピュータ）
ＰＣｂ  コンピュータ（付加画像サーバ）
ＰＣｃ  コンピュータ（課金装置）
ＰＣｄ  顧客のコンピュータ
ＮＷ  ネットワーク
１００  システムコントローラ
１０１  ＣＰＵ
１０２  ＲＯＭ
１０３  ＲＡＭ
１０４  ＮＶＲＡＭ
１０５  ＨＤＤＣ
１０６  システムＩ／Ｆ
１０７  ネットワークＩ／Ｆコントローラ
１０８  ワークメモリ
１０９  フレームメモリ
１１０  メモリコントローラ
１１１、１１２  ＦＩＦＯ
１１３〜１１５  バス制御部
２００  画像入出力制御部
２０１  ＣＰＵ
２０２  ＲＯＭ
２０３  ＲＡＭ  ２０４  画像書き込みユニット
２０５  画像読み取りユニット
２０６  地紋認識ユニット
２０７  課金装置Ｉ／Ｆユニット
２０８  原稿搬送制御ユニット
２０９  電子写真プロセスユニット
２１０  転写紙搬送制御ユニット
２１１、２１２  バス制御部
３００  操作パネル制御部
３０１  ＣＰＵ
３０２  ＲＯＭ
３０３  ＲＡＭ
３０４  入力部
３０５  表示部
３０６  バス制御部
４００  画像データバス／制御コマンドバス
Ｇ１  付加画像登録課金画面
Ｇ２  有効期間入力画面
Ｇ３  付加可能回数入力画面
Ｇ４  付加条件設定入力画面
Ｇ５  付加画像付加可否選択画面
Ｇ６  付加条件入力画面
Ｇ７  付加画像選択画面
Ｂ１  ＹＥＳボタン
Ｂ２  ＮＯボタン
Ｂ３  確定ボタン
Ｂ４  確定ボタン
Ｂ５  確定ボタン
Ｂ６  ＹＥＳボタン
Ｂ７  ＮＯボタン
Ｂ８  確定ボタン
【図１】
2010074449.tif 000003
【図２】
2010074449.tif 000004
【図３】
2010074449.tif 000005
【図４】
2010074449.tif 000006
【図５】
2010074449.tif 000007
【図６】
2010074449.tif 000008
【図７】
2010074449.tif 000009
【図８】
2010074449.tif 000010
【図９】
2010074449.tif 000011
【図１０】
2010074449.tif 000012